【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
カテーテルコネクタを殺菌するためのＵＶ殺菌装置であって、
第１端と第２端とを有し、ユーザの手に保持されるような形状である本体部と、
前記本体部の前記第１端、あるいは、前記本体部の前記第１端の近傍、に位置決めされ、カテーテルコネクタを受容するような形状である略樽形の開口と、
前記開口内の略筒形の殺菌領域と、
前記殺菌領域内に位置決めされたＵＶ−Ｃの透過ルーメンと、
前記殺菌領域の長さに沿って、前記殺菌領域の周縁部の周りに、少なくとも２つの周縁面において位置決めされた複数のＵＶ−ＣのＬＥＤと、
を備えたことを特徴とする殺菌装置。
【請求項２】
カテーテルコネクタを殺菌するためのＵＶ殺菌装置であって、
第１端と第２端とを有し、ユーザの手に保持されるような形状である本体部と、
前記本体部の前記第１端、あるいは、前記本体部の前記第１端の近傍、に位置決めされ、カテーテルコネクタを受容するような形状である略樽形の開口と、
を備え、
前記略樽形の開口は、周縁部と長さとを有しており、
前記開口は、当該開口の周縁部の近傍であって、当該開口の長さに沿って少なくとも２つの周縁面において位置決めされた複数のＵＶ−ＣのＬＥＤを有している
ことを特徴とする殺菌装置。
【請求項３】
前記開口内の要素の挿入を感知するための、前記開口近傍のセンサ
を備えたことを特徴とする請求項１または２に記載の殺菌装置。
【請求項４】
要素の挿入が、当該装置のコントローラを用いての、起動、認証、及び、殺菌情報の記録、の少なくとも１つのトリガとなるように構成されている
を更に備えたことを特徴とする請求項３に記載の殺菌装置。
【請求項５】
当該装置は、前記本体部に対してある角度で位置決めされたヘッド部を備えている
ことを特徴とする請求項１乃至４のいずれかに記載の殺菌装置。
【請求項６】
前記開口の一端部に向けて位置決めされたＵＶ−ＣのＬＥＤ
を備えたことを特徴とする請求項１乃至５のいずれかに記載の殺菌装置。
【請求項７】
充電ドック
を備えたことを特徴とする請求項１乃至６のいずれかに記載の殺菌装置。
【請求項８】
ディスプレイ
を更に備えたことを特徴とする請求項１乃至７のいずれかに記載の殺菌装置。
【請求項９】
起動ボタン
を備えたことを特徴とする請求項１乃至８のいずれかに記載の殺菌装置。
【請求項１０】
前記ＵＶ−ＣのＬＥＤは、前記殺菌領域または前記開口の周縁部の周りに、等間隔で設けられている
ことを特徴とする請求項１乃至９のいずれかに記載の殺菌装置。
【請求項１１】
４個のＵＶ−ＣのＬＥＤが、前記開口または前記殺菌領域の長さに沿って、前記周縁部の周りまたは近傍に、２つの周縁面において等間隔に設けられている
ことを特徴とする請求項１乃至１０のいずれかに記載の殺菌装置。
【請求項１２】
ユニバーサルアダプタコネクタを殺菌するための装置であって、ＵＶ光源を収容するハウジングを備え、
前記ＵＶ光源は、電源に動作可能に接続されており、
前記ハウジングは、更に、ユニバーサルアダプタコネクタを受容して係合するためのレセプタクルを有しており、
前記ユニバーサルアダプタコネクタは、前記ユニバーサルアダプタコネクタが前記レセプタクルによって受容されている時、前記ＵＶ光源からの放射光に曝され、
当該装置は、
前記レセプタクルに選択的に挿入されて保持されるように構成された患者着用型カテーテルハブ
を更に備え、
前記患者着用型カテーテルハブは、前記ＵＶ光源から放射されるＵＶ光を反射するか通過を許容するように構成された内側反射部または透過部を有している
ことを特徴とする装置。
【請求項１３】
殺菌状態を示すために棒状、円弧状、リング状、または他の形状に構成された１または複数の光を含み、殺菌装置によって実施される殺菌処理の殺菌状態をユーザに通信するように構成された殺菌状態インジケータ
を更に備えたことを特徴とする請求項１乃至１２のいずれかに記載の装置。
【請求項１４】
前記ユニバーサルアダプタコネクタ、前記殺菌装置、及び、患者ＩＤの少なくとも１つのＩＤを受容するための入力装置
を更に備えたことを特徴とする請求項１乃至１３のいずれかに記載の装置。
【請求項１５】
カテーテル接続のためのコネクタを殺菌するための方法であって、
請求項１乃至１４のいずれかに記載の装置を提供する工程と、
手持ち式のＵＶ殺菌装置のコネクタ開口内に前記コネクタを挿入する工程と、
前記コネクタにＵＶ−Ｃ光を放射するための装置を起動する工程と、
を備えたことを特徴とする方法。
【手続補正２】
【補正対象書類名】明細書
【補正対象項目名】０３１９
【補正方法】変更
【補正の内容】
【０３１９】
本明細書に含まれる実施例及び図例は、限定ではなく例示として、本発明の主題が実践され得る特定の実施形態を示している。言及されたように、本開示の範囲から逸脱することなく、他の実施形態がそこから利用され導出され得て、構造的及び論理的な置換及び変更がなされ得る。本発明の主題のそのような実施形態は、単に便宜上、本出願の範囲を任意の単一の発明または発明の概念に自発的に限定することを意図することなく、個々にまたは集合的に用語「発明」によって本明細書で言及され得る。実際、１より多い数の発明が開示されている。従って、本明細書では、特定の実施形態が例示され説明されているが、同じ目的を達成するために計算された任意の構成が、図示の特定の実施形態の代わりとなり得る。本開示は、様々な実施形態のあらゆる適応または変形を網羅することが意図されている。前記の実施形態の組み合わせ、及び、本明細書に具体的に記載されていない他の実施形態が、前述の説明を見れば当業者には明らかである。
なお、出願時の請求項は、以下の通りである。
＜請求項１＞
カテーテルコネクタを殺菌するためのＵＶ殺菌装置であって、
第１端と第２端とを有し、ユーザの手に保持されるような形状である本体部と、
前記本体部の前記第１端、あるいは、前記本体部の前記第１端の近傍、に位置決めされ、カテーテルコネクタを受容するような形状である略樽形の開口と、
前記開口内の略筒形の殺菌領域と、
前記殺菌領域内に位置決めされたＵＶ−Ｃの透過ルーメンと、
前記殺菌領域の長さに沿って、前記殺菌領域の周縁部の周りに、少なくとも２つの周縁面において位置決めされた複数のＵＶ−ＣのＬＥＤと、
を備えたことを特徴とする殺菌装置。
＜請求項２＞
カテーテルコネクタを殺菌するためのＵＶ殺菌装置であって、
第１端と第２端とを有し、ユーザの手に保持されるような形状である本体部と、
前記本体部の前記第１端、あるいは、前記本体部の前記第１端の近傍、に位置決めされ、カテーテルコネクタを受容するような形状である略樽形の開口と、
を備え、
前記略樽形の開口は、周縁部と長さとを有しており、
前記開口は、当該開口の周縁部の近傍であって、当該開口の長さに沿って少なくとも２つの周縁面において位置決めされた複数のＵＶ−ＣのＬＥＤを有している
ことを特徴とする殺菌装置。
＜請求項３＞
殺菌進行インジケータ
を備えたことを特徴とする請求項１または２に記載の殺菌装置。
＜請求項４＞
前記殺菌進行インジケータは、殺菌の進行を示すための点滅表示の色、強度または周波数を変更する複数のＬＥＤを有している
ことを特徴とする請求項３に記載の殺菌装置。
＜請求項５＞
充電インジケータ
を備えたことを特徴とする請求項１乃至４のいずれかに記載の殺菌装置。
＜請求項６＞
前記開口内の要素の挿入を感知するための、前記開口近傍のセンサ
を備えたことを特徴とする請求項１乃至５のいずれかに記載の殺菌装置。
＜請求項７＞
要素の挿入が、当該装置のコントローラを用いての、起動、認証、及び、殺菌情報の記録、の少なくとも１つのトリガとなるように構成されている
を更に備えたことを特徴とする請求項６に記載の殺菌装置。
＜請求項８＞
前記センサは、前記開口内に挿入されるよう構成された要素上のタグと相互作用するように構成されている
を更に備えたことを特徴とする請求項６または７に記載の殺菌装置。
＜請求項９＞
当該装置は、前記本体部に対してある角度で位置決めされたヘッド部を備えている
ことを特徴とする請求項１乃至８のいずれかに記載の殺菌装置。
＜請求項１０＞
前記開口の一端部に向けて位置決めされたＵＶ−ＣのＬＥＤ
を備えたことを特徴とする請求項１乃至９のいずれかに記載の殺菌装置。
＜請求項１１＞
充電ドック
を備えたことを特徴とする請求項１乃至１０のいずれかに記載の殺菌装置。
＜請求項１２＞
前記充電ドックは、当該殺菌装置をワイヤレスに充電するように構成されている
ことを特徴とする請求項１１に記載の殺菌装置。
＜請求項１３＞
前記充電ドックは、任意の表面上に載るように構成されている
ことを特徴とする請求項１１または１２に記載の殺菌装置。
＜請求項１４＞
前記充電ドックは、ＩＶポールに取り付けられように構成されている
ことを特徴とする請求項１１または１２に記載の殺菌装置。
＜請求項１５＞
前記充電ドックは、当該装置の前記第１端を受容するためのレセプタクルを有している
ことを特徴とする請求項１１乃至１４のいずれかに記載の殺菌装置。
＜請求項１６＞
前記レセプタクルは、ＵＶ−ＣのＬＥＤを有している
ことを特徴とする請求項１５に記載の殺菌装置。
＜請求項１７＞
前記充電ドックは、前記本体部と係合するような形状の凹部を有している
ことを特徴とする請求項１１乃至１４のいずれかに記載の殺菌装置。
＜請求項１８＞
ディスプレイ
を更に備えたことを特徴とする請求項１乃至１７のいずれかに記載の殺菌装置。
＜請求項１９＞
起動ボタン
を備えたことを特徴とする請求項１乃至１８のいずれかに記載の殺菌装置。
＜請求項２０＞
前記開口内に位置決めされた約４個〜約１２個のＵＶ−ＣのＬＥＤ
を備えたことを特徴とする請求項１乃至１９のいずれかに記載の殺菌装置。
＜請求項２１＞
前記開口または前記殺菌領域の長さに沿って、２つの周縁面において、周縁部の近傍に位置決めされた８個のＬＥＤ
を備えたことを特徴とする請求項１乃至１９のいずれかに記載の殺菌装置。
＜請求項２２＞
前記ＵＶ−ＣのＬＥＤは、前記殺菌領域または前記開口の周縁部の周りに、等間隔で設けられている
ことを特徴とする請求項１乃至２１のいずれかに記載の殺菌装置。
＜請求項２３＞
４個のＵＶ−ＣのＬＥＤが、前記開口または前記殺菌領域の長さに沿って、前記周縁部の周りまたは近傍に、２つの周縁面において等間隔に設けられている
ことを特徴とする請求項１乃至２２のいずれかに記載の殺菌装置。
＜請求項２４＞
前記本体部は、ユーザの指のための凹部を有している
ことを特徴とする請求項１乃至２３のいずれかに記載の殺菌装置。
＜請求項２５＞
モバイル電源パック
を備えたことを特徴とする請求項１乃至２４のいずれかに記載の殺菌装置。
＜請求項２６＞
前記ＵＶ−ＣのＬＥＤは、前記開口の長手方向軸線回りに対称である
ことを特徴とする請求項１乃至２５のいずれかに記載の殺菌装置。
＜請求項２７＞
再充電可能バッテリ
を備えたことを特徴とする請求項１乃至２６のいずれかに記載の殺菌装置。
＜請求項２８＞
当該装置は、有線またはワイヤレスの接続を介して、別個の装置またはデータベースにデータを転送するように構成されている
ことを特徴とする請求項１乃至２７のいずれかに記載の殺菌装置。
＜請求項２９＞
導管内のアクセス部位に関して用いられる要素またはユニバーサルアダプタを殺菌するための装置であって、
カテーテルハブと、
要素またはユニバーサルアダプタと、
前記要素または前記ユニバーサルアダプタの１または複数と係合するように構成された殺菌装置と、
を備え、
前記殺菌装置によって生成される殺菌放射エネルギを、前記要素または前記ユニバーサルアダプタ内の１または複数の具体的に位置決めされた実質的にＵＶ透過性の表面を介して、前記要素または前記ユニバーサルアダプタの全体または一部に提供して、前記要素または前記ユニバーサルアダプタの一端部または内部の殺菌を促す
ことを特徴とする装置。
＜請求項３０＞
前記殺菌装置は、蓋閉め動作、スライド動作、挿入動作、クランプ動作、及び、スナップ動作、の１または複数を実施することによって、前記要素または前記ユニバーサルアダプタと係合する
ことを特徴とする請求項２９に記載の装置。
＜請求項３１＞
アクセス部位を殺菌するための請求項２９または３０に記載の装置であって、
前記殺菌装置は、ＵＶ−Ｃ透過部と、当該ＵＶ−Ｃ透過部に隣接する要素またはユニバーサルアダプタまたはマニホルドに制御可能にエネルギ放射する放射エネルギシステムと、を有しており、
前記放射エネルギシステムは、前記要素または前記ユニバーサルアダプタの全部または一部に実質的に向かう方向にＵＶ−Ｃ放射を放出するためのパターンで配置された複数のＵＶ−Ｃ放射源を含んでおり、また、前記複数のＵＶ−Ｃ放射源に制御可能にエネルギ供給し、コンピュータネットワークを介して局所的なあるいは離れたユーザに当該殺菌システムの動作に関する情報を提供するコンピュータコントローラを含んでいる
ことを特徴とする請求項２９または３０に記載の装置。
＜請求項３２＞
前記殺菌装置は、殺菌されるべき前記要素、前記マニホルドまたは前記ユニバーサルアダプタと補償的に係合するように構成された特徴部を有している
ことを特徴とする請求項２９乃至３１のいずれかに記載の装置。
＜請求項３３＞
前記特徴部は、電子的、機械的、摩擦的、及び、光学的、の１または複数である
ことを特徴とする請求項３２に記載の装置。
＜請求項３４＞
ユニバーサルアダプタコネクタを殺菌するための装置であって、ＵＶ光源を収容するハウジングを備え、
前記ＵＶ光源は、電源に動作可能に接続されており、
前記ハウジングは、更に、ユニバーサルアダプタコネクタを受容して係合するためのレセプタクルを有しており、
前記ユニバーサルアダプタコネクタは、前記ユニバーサルアダプタコネクタが前記レセプタクルによって受容されている時、前記ＵＶ光源からの放射光に曝される
ことを特徴とする装置。
＜請求項３５＞
前記レセプタクルに選択的に挿入されて保持されるように構成された患者着用型カテーテルハブ
を更に備え、
前記患者着用型カテーテルハブは、前記ＵＶ光源から放射されるＵＶ光を反射するか通過を許容するように構成された内側反射部または透過部を有している
ことを特徴とする請求項３４に記載の装置。
＜請求項３６＞
前記患者着用型カテーテルハブは、１または複数のユニバーサルアダプタコネクタを受容して、前記殺菌装置からのＵＶ光との最適な相互作用のためにそれを方向付ける、ように構成された内面または特徴部を有するマニホルドを受容するように構成されている
ことを特徴とする請求項３５に記載の装置。
＜請求項３７＞
患者着用型カテーテルハブの上方に位置決めされて手持ち式またはポータブル式の殺菌装置と相互作用するように構成された、摩擦フィット配置、ヒンジ配置またはスライド配置のＵＶ透過シェル
を更に備えたことを特徴とする請求項３４乃至３６のいずれかに記載の装置。
＜請求項３８＞
前記患者着用型カテーテルハブは、要素またはユニバーサルアダプタを保持するための接着性裏地またはフレームを含む
ことを特徴とする請求項３４乃至３７のいずれかに記載の装置。
＜請求項３９＞
ポータブル式の殺菌装置、モバイル式の殺菌装置、または、患者ベッド内に一体化された殺菌装置に対して、要素、ユニバーサルコネクタ、カテーテルハブ、または、患者着用型アクセス装置を、特定の所望の方向で選択的に取り付けるよう構成された、１または複数の取付特徴部ないし係合特徴部
を更に備えたことを特徴とする請求項３４乃至３８のいずれかに記載の装置。
＜請求項４０＞
前記ＵＶ光源は、少なくとも１つまたは複数配置のＵＶ−ＣのＬＥＤを含んでいる
ことを特徴とする請求項３４乃至３９のいずれかに記載の装置。
＜請求項４１＞
前記放射源または前記ＵＶ光源または１以上のＵＶ−ＬＥＤに電気的に結合され、所定時間後に前記光源をスイッチオフするタイマー
を更に備えたことを特徴とする請求項１乃至４０のいずれかに記載の装置。
＜請求項４２＞
殺菌状態を示すために棒状、円弧状、リング状、または他の形状に構成された１または複数の光を含み、殺菌装置によって実施される殺菌処理の殺菌状態をユーザに通信するように構成された殺菌状態インジケータ
を更に備えたことを特徴とする請求項１乃至４１のいずれかに記載の装置。
＜請求項４３＞
前記ユニバーサルアダプタコネクタ、前記殺菌装置、及び、患者ＩＤの少なくとも１つのＩＤを受容するための入力装置
を更に備えたことを特徴とする請求項１乃至４２のいずれかに記載の装置。
＜請求項４４＞
前記ユニバーサルアダプタコネクタ、前記殺菌装置、及び、患者ＩＤの少なくとも１つのＩＤを通信するための出力部
を更に備えたことを特徴とする請求項４３に記載の装置。
＜請求項４５＞
カテーテル接続のためのコネクタを殺菌するための方法であって、
手持ち式のＵＶ殺菌装置のコネクタ開口内に前記コネクタを挿入する工程と、
前記コネクタにＵＶ−Ｃ光を放射するための装置を起動する工程と、
を備え、
前記コネクタ開口は、前記コネクタの長さに沿った２以上の断面において前記コネクタの周縁部の周りに等距離に位置決めされた複数のＵＶ−ＣのＬＥＤを有している
ことを特徴とする方法。
＜請求項４６＞
前記装置内のセンサを用いて、前記コネクタの前記装置への挿入を感知する工程
を更に備えたことを特徴とする請求項４５に記載の方法。
＜請求項４７＞
前記コネクタの前記装置への挿入を感知する時、前記装置が殺菌を開始する工程
を更に備えたことを特徴とする請求項４６に記載の方法。
＜請求項４８＞
前記装置が前記コネクタの当該装置への挿入を記録する工程
を更に備えたことを特徴とする請求項４５乃至４７のいずれかに記載の方法。
＜請求項４９＞
前記装置が完了した殺菌サイクルを記録する工程
を更に備えたことを特徴とする請求項４５乃至４８のいずれかに記載の方法。
＜請求項５０＞
前記装置が完了していない殺菌サイクルを記録する工程
を更に備えたことを特徴とする請求項４５乃至４９のいずれかに記載の方法。
＜請求項５１＞
前記装置が殺菌情報を別個の装置に送る工程
を更に備えたことを特徴とする請求項４５乃至５０のいずれかに記載の方法。
＜請求項５２＞
前記装置がユーザに殺菌サイクルを開始するよう警告する工程
を更に備えたことを特徴とする請求項４５乃至５１のいずれかに記載の方法。
＜請求項５３＞
前記装置が殺菌の進行を表示する工程
を更に備えたことを特徴とする請求項４５乃至５２のいずれかに記載の方法。
＜請求項５４＞
前記装置がバッテリ充電レベルを表示する工程
を更に備えたことを特徴とする請求項４５乃至５３のいずれかに記載の方法。
＜請求項５５＞
殺菌の完了後に前記装置を充電ドックに置く工程
を更に備えたことを特徴とする請求項４５乃至５４のいずれかに記載の方法。
＜請求項５６＞
前記装置を充電ドックに置く前記工程は、前記装置の前記コネクタ開口を殺菌するよう前記充電ドック内のＬＥＤを起動する
を更に備えたことを特徴とする請求項５５に記載の方法。
＜請求項５７＞
前記装置を充電ドックに置く前記工程は、前記装置の前記コネクタ開口を殺菌するよう前記装置内の複数のＵＶ−ＣのＬＥＤを起動する
を更に備えたことを特徴とする請求項５５または５６に記載の方法。
＜請求項５８＞
前記装置を起動する前記工程は、約２００ｍＡ〜約８００ｍＡの電流を適用する工程を含んでいる
ことを特徴とする請求項４５乃至５７のいずれかに記載の方法。
＜請求項５９＞
前記装置を起動する前記工程は、約３Ｖ〜約１０Ｖの電圧を適用する工程を含んでいる
ことを特徴とする請求項４５乃至５８のいずれかに記載の方法。
＜請求項６０＞
前記ＵＶ−ＣのＬＥＤは、約２５０ｎｍ〜約３００ｎｍの波長を有している
ことを特徴とする請求項４５乃至５９のいずれかに記載の方法。
＜請求項６１＞
前記装置を起動する前記工程は、前記装置を約１０〜約２０秒の間起動する工程を含んでいる
ことを特徴とする請求項４５乃至６０のいずれかに記載の方法。
＜請求項６２＞
前記装置を起動する前記工程は、前記装置を約１５秒の間起動する工程を含んでいる
ことを特徴とする請求項４５乃至６１のいずれかに記載の方法。
＜請求項６３＞
ユニバーサルアダプタコネクタ、要素、または、マニホルドを殺菌するための方法であって、
ユニバーサルアダプタコネクタ、要素、または、マニホルドを、請求項１乃至１６のいずれかに記載の殺菌装置の一部に対して、挿入、スライド、クランプ、またはカバーする工程と、
挿入、スライド、クランプ、またはカバーする工程の実施後、前記殺菌装置の動作可能要件に従って、所定の時間長に亘って、前記殺菌装置のＵＶ光源から放射される光に、前記ユニバーサルアダプタコネクタ、前記要素、または、前記マニホルドを曝す工程と、
を備えたことを特徴とする方法。
＜請求項６４＞
前記ＵＶ光源は、ＵＶ−Ｃスペクトルの一部の光、または、約２９０ｎｍ〜約１００ｎｍの波長を有する光、を放射する
ことを特徴とする請求項６３に記載の方法。
＜請求項６５＞
前記所定の時間長は、約５秒、約１０秒、約２０秒、約３０秒、約４０秒、約５０秒、または、それ未満、である
ことを特徴とする請求項６３または６４に記載の方法。
＜請求項６６＞
前記殺菌装置の動作の殺菌状態、または、動作の表示、を離れたコンピュータシステムに送信する工程
を更に備えたことを特徴とする請求項６３乃至６５のいずれかに記載の方法。
＜請求項６７＞
前記ユニバーサルアダプタコネクタ、前記要素、または、前記マニホルドを識別する工程と、
前記殺菌装置の殺菌状態を識別する工程と、
患者の名前、患者のＩＤ、または、患者の誕生日を識別する工程と、
前記殺菌状態と、前記ユニバーサルアダプタコネクタ、前記要素、または、前記マニホルドのＩＤと、前記患者の名前、前記患者のＩＤ、または、前記患者の誕生日と、を離れたコンピュータシステムに送信する工程と、
送信された情報を電子的医療記録に記憶する工程と、
を更に備えたことを特徴とする請求項６３乃至６６のいずれかに記載の方法。
＜請求項６８＞
前記電子的医療記録は、患者の電子的医療記録である
を更に備えたことを特徴とする請求項６３乃至６７のいずれかに記載の方法。
＜請求項６９＞
前記殺菌状態及び前記殺菌装置のＩＤまたは他の情報を離れたコンピュータシステムに送信する工程が、ワイヤレスアンテナ、電気的接続、ＲＦＩＤトランスミッタ、ブルートゥーストランスミッタ、オーディオスピーカ、及び、手動入力装置、の少なくとも１つを用いて実現される
ことを特徴とする請求項６３乃至６８のいずれかに記載の方法。
＜請求項７０＞
編集可能な電子的ディスプレイ、機能インジケータ、状態インジケータ、使用インジケータ、または、患者情報、の１または複数を、様々な異なる形態で含み、
当該表示は、患者の名前、病院のＩＤ、編集可能な電子的ディスプレイ、使用インジケータの周波数、を示す
ように更に構成された請求項１乃至６９のいずれかに記載の手持ち式の装置。
＜請求項７１＞
殺菌システムを用いて殺菌されるべき要素の選択された一部または全部を受容するように構成された手持ち式の装置の開口を含み、
当該殺菌システムは、前記開口内に収容されているか、前記開口内で前記要素または前記要素の一部に殺菌エネルギを差し向けるように動作可能である
ことを特徴とする請求項１乃至２９のいずれかに記載の殺菌装置。
＜請求項７２＞
カテーテルハブないし１または複数のコネクタと結合して、当該ハブまたはコネクタの相対的な位置及び方向を、患者内の内腔に対して、及び、選択的に、患者に接続されている間の前記１または複数のコネクタの個別または同時の殺菌のためにポータブルまたは手持ち式の殺菌装置に対する結合を可能にする位置に、維持する
ことを特徴とする、請求項１乃至４４のいずれかに記載の装置、または、請求項４５乃至６９のいずれかに記載の方法、において使用されるよう構成された使い捨て患者着用型ベース。
＜請求項７３＞
入口と、
出口と、
本体部と、
前記本体部内に位置決めされ、且つ、前記入口と前記出口との間で位置決めされる、シールコア部分と、
を備え、
前記入口に入る流体は、前記シールコア部分の周囲を流れるように構成されており、
前記本体部は、ＵＶ−Ｃ透過材料を含んでいる
ことを特徴とするニードルレスコネクタバルブ。
＜請求項７４＞
入口と、
出口と、
２５０ｎｍ〜３００ｎｍの波長の光が伝播することを許容するように構成された本体部と、
前記本体部内に位置決めされたシールコアと、
を備えたことを特徴とするニードルレスコネクタバルブ。
＜請求項７５＞
前記本体部は、環状オレフィン共重合体またはポリメチルペンテンを有する
ことを特徴とする請求項７３または７４に記載のニードルレスコネクタバルブ。
＜請求項７６＞
光ベースの殺菌システムにおいて用いられる選択的透過性コネクタを提供する方法であって、
ニードルレスコネクタの設計を提供する工程と、
ＵＶ−Ｃベースの殺菌を可能にするべく、前駆材料と、制御可能な透過性のために適合された処理と、を利用してニードルレスコネクタを製造する工程と、
を備えたことを特徴とする方法。
＜請求項７７＞
制御可能な透過性のＵＶ−Ｃベースの殺菌用に製造されたニードルレスコネクタのＵＶ−Ｃ透過性の特徴を取得する工程
を更に備えたことを特徴とする請求項７６に記載の方法。
＜請求項７８＞
ニードルレスコネクタの設計の所望の殺菌プロファイルのために、ＵＶ−Ｃ源、配置及び線量プロファイルを適合させる工程
を更に備えたことを特徴とする請求項７６または７７に記載の方法。
＜請求項７９＞
ＵＶ−Ｃ殺菌装置を選択する工程
を更に備えたことを特徴とする請求項７６乃至７８のいずれかに記載の方法。
＜請求項８０＞
選択されたＵＶ−Ｃ殺菌装置におけるＵＶ−Ｃ源、配置、アレイ及び線量パラメータを、ニードルレスコネクタの設計の殺菌プロファイルに対する当該選択されたＵＶ−Ｃ殺菌装置の殺菌チャンバにキー付けするように修正する工程
を更に備えたことを特徴とする請求項７６乃至７９のいずれかに記載の方法。
＜請求項８１＞
キー付けされたＵＶ−Ｃ殺菌装置が所望の殺菌プロファイルを提供し、及び／または、所望の殺菌終点を実現する、ことを確認する工程
を更に備えたことを特徴とする請求項７６乃至８０のいずれかに記載の方法。
＜請求項８２＞
制御可能な透過性のＵＶ−Ｃベースの殺菌用に製造されたニードルレスコネクタの所望の線量プロファイル及び殺菌終点を提供するべくキー付けされた殺菌チャンバとＵＶ−Ｃ殺菌装置との適合対を解放する工程
を更に備えたことを特徴とする請求項７６乃至８１のいずれかに記載の方法。
＜請求項８３＞
ニードルレスコネクタ用の金型を提供する工程と、
前記金型内に環状オレフィン共重合体及びポリメチルペンテンの少なくとも一方を含む材料を載置する工程と、
製造業者推奨の滞留時間の３分の１以下の金型滞留時間を用いる工程と、
を備えたことを特徴とするニードルレスコネクタの製造方法。
＜請求項８４＞
請求項８３に記載の方法を用いて製造されたニードルレスコネクタ。